(57)【要約】【課題】  使用者が被調理物の分量に応じてジャム（コンフィチュール）の自動調理を選択するだけで、短時間で手軽にコンフィチュールを作ることができる加熱調理器を提供する。【解決手段】  被調理物７１を収納する加熱室７にマイクロ波を発振するマグネトロン２０と、該マグネトロン２０から発振するマイクロ波の出力を制御するインバータ電源２３からなり、被調理物７１をマイクロ波で加熱するレンジ加熱と、前記加熱室７の壁面に設けた電熱ヒータ１０により被調理物７１を加熱するヒータ加熱の加熱動作を制御する制御手段２７と、該制御手段２７に接続される操作部６０と表示部６２とを備え、前記操作部６０にはコンフィチュールを選択する選択手段６１ａを設け、表示部６２にはコンフィチュールの選択状態を表示する選択状態表示部６６ｂを設け、前記選択手段６１ａでコンフィチュールが選択されたときは制御手段２７でレンジ加熱とヒータ加熱の組み合わせにより制御し、被調理物を自動調理する。【選択図】  図５
2007003135.tif 000002
【特許請求の範囲】
【請求項１】
被調理物を収納する加熱室にマイクロ波を発振するマグネトロンと、該マグネトロンから発振するマイクロ波の出力を制御するインバータ電源からなり、被調理物をマイクロ波で加熱するレンジ加熱と、前記加熱室の壁面に設けた電熱ヒータにより被調理物を加熱するヒータ加熱の加熱動作を制御する制御手段と、該制御手段に接続される操作部と表示部とを備え、前記操作部にはコンフィチュールを選択する選択手段を設け、表示部にはコンフィチュールの選択状態を表示する選択状態表示部を設け、前記選択手段でコンフィチュールが選択されたときは制御手段でレンジ加熱とヒータ加熱の組み合わせにより制御し、被調理物を自動調理することを特徴とする加熱調理器。
【請求項２】
被調理物を収納する加熱室にマイクロ波を発振するマグネトロンと、該マグネトロンから発振するマイクロ波の出力を制御するインバータ電源からなり、被調理物をマイクロ波で加熱するレンジ加熱と、前記加熱室の壁面に設けた電熱ヒータにより被調理物を加熱するヒータ加熱と、加熱室に水蒸気を供給する蒸気発生手段によるスチーム加熱の加熱動作を制御する制御手段と、該制御手段に接続される操作部と表示部とを備え、前記操作部にはコンフィチュールを選択する選択手段を設け、表示部にはコンフィチュールの選択状態を表示する選択状態表示部を設け、さらに前記選択手段でコンフィチュールが選択されたときは制御手段でレンジ加熱とヒータ加熱とスチーム加熱の組み合わせにより制御し、被調理物を自動調理することを特徴とする加熱調理器。
【請求項３】
被調理物を収納する加熱室と、該加熱室にマイクロ波を発振するマグネトロンと、該マグネトロンから発振するマイクロ波の出力を制御するインバータ電源からなり、被調理物をマイクロ波で加熱するレンジ加熱と、加熱室の壁面に設けた電熱ヒータにより被調理物を加熱するヒータ加熱と、該加熱室に過熱蒸気を供給する過熱蒸気発生手段による高温スチーム加熱の加熱動作を制御する制御手段と、該制御手段に接続される操作部と表示部とを備え、前記操作部にはコンフィチュールを選択する選択手段を設け、表示部にはコンフィチュールの選択状態を表示する選択状態表示部を設け、さらに選択手段でコンフィチュールが選択されたときは制御手段でレンジ加熱とヒータ加熱と高温スチーム加熱の組み合わせにより制御し、被調理物を自動調理することを特徴とする加熱調理器。
【請求項４】
前記自動調理における加熱過程で、レンジ加熱を行う前に、加熱室をヒータ加熱により所定の高温に昇温させるパターンを組み込んだことを特徴とする請求項１から３記載の加熱調理器。
【発明の詳細な説明】
【技術分野】
【０００１】
本発明は砂糖の使用量を減らすか、又は砂糖を使用しないで低糖化を図ったジャム（コンフィチュール）を自動調理するオーブンレンジ等の加熱調理器に関するものである。
【背景技術】
【０００２】
オーブンレンジはマイクロ波によるレンジ加熱と、電熱ヒータによるグリル調理やオーブン調理などのヒータ加熱を行うことができる複合加熱調理器であり、多種多様な調理メニューを加熱調理することができる。
【０００３】
従って、オーブンレンジでは、使用者が加熱の種類や加熱時間、加熱出力などを自由に設定して調理する手動調理ができるとともに、あらかじめ加熱調理器に記憶された加熱制御部によって調理する自動調理が存在する。
【０００４】
従来、被調理物である果物などに砂糖を加えて煮つめるジャム作りは、被調理物を入れた鍋を火にかけて行うもので、鍋と被調理物の縁の部分では果汁と糖分がカラメル状になって甘味・旨味が高まり、美味しいジャムを作ることができた。
【０００５】
しかし、手軽にジャムを作る調理器として、オーブンレンジが多く利用されるようになり、主にレンジ加熱の手動調理によって加熱時間や加熱出力を設定し、食品状態を観察しながら調理を行っている。（特許文献１）そしてそのレシピは、特許文献１や調理メニュー本、インターネット上のブログなどで紹介され、様々な被調理物から多様なジャムが作られている。
【０００６】
その一方、フランス語のジャムを意味するコンフィチュールが新しいジャムの形態の一つとして普及してきており、複数種類の果物類や野菜類、ハーブ類などの素材を組み合わせて、果物本来の旨味を損なわずに加熱調理されたものが、日本のコンフィチュールとして注目されている。
【０００７】
元来、フランスにおけるコンフィチュールは、果物の皮と種を取り除いて砂糖に漬けておき、浸透圧の作用を利用して糖分の吸収と果汁の排出を行った後、果汁のみを煮つめ、実と合わせてさらに煮上げたものである。このものは長期保存品であり、糖度が６０％以上のものをコンフィチュール、５０〜６０％のものをミ・コンフィ、５０％以下のものをコンポートと呼んでいる。
【０００８】
しかし、近年フランスから複数種類の果物類や野菜類、ハーブ類などの素材を組み合わせて、果物本来の旨味を損なわずに加熱調理した新しいジャムが紹介されると、日本のヘルシー志向などのもと、砂糖の使用量を減らして、又は砂糖を使用しないで低糖化を図ったジャムが広まり、この日本の低糖化されたジャムがコンフィチュールとして定着しつつある。
【０００９】
【特許文献１】特開２００３−１５９００３号公報
【発明の開示】
【発明が解決しようとする課題】
【００１０】
特許文献１等に示されている従来の加熱調理器では、ジャム（コンフィチュール）の加熱用に対応していないため、図７に示すようにレンジ加熱のみで調理を行っている。
【００１１】
つまり、レンジ加熱によるジャム（コンフィチュール）作りは、果物に砂糖などを加え、レンジ加熱で煮つめるものであるため、被調理物の誘電率や水分量などのバラツキに応じた加熱ムラが生じ易くなっている。
【００１２】
このため、加熱のＯＮ−ＯＦＦ時間動作や出力減少などにより、加熱スピードを下げて被調理物の温度の均一化を図る必要があるため、調理時間が長くかかることになる。
【００１３】
また、レンジ加熱の場合、被調理物自体が発熱するため、被調理物内部への熱量の浸透度が大きく、必要以上に被調理物の果汁が排出してしまい、加熱後のジャムがスープ状の仕上がりになりやすい。
【００１４】
また、その加熱ムラにより、被調理物特有の甘味・旨味が十分でにくくなるとともに、被調理物の表面が劣化し、色合いが悪くなり易い。
【００１５】
よって、ジャム作りには、分量に応じて加熱種類や加熱時間を調整し、最適な加熱制御が必要とされる。
【００１６】
本願発明は、上記の課題のうち少なくとも１つを解決するために為されたものである。
【課題を解決するための手段】
【００１７】
本発明は、上記課題を解決するためになされたもので、請求項１では、被調理物を収納する加熱室にマイクロ波を発振するマグネトロンと、該マグネトロンから発振するマイクロ波の出力を制御するインバータ電源からなり、被調理物をマイクロ波で加熱するレンジ加熱と、前記加熱室の壁面に設けた電熱ヒータにより被調理物を加熱するヒータ加熱の加熱動作を制御する制御手段と、該制御手段に接続される操作部と表示部とを備え、前記操作部にはコンフィチュールを選択する選択手段を設け、表示部にはコンフィチュールの選択状態を表示する選択状態表示部を設け、前記選択手段でコンフィチュールが選択されたときは制御手段でレンジ加熱とヒータ加熱の組み合わせにより制御し、被調理物を自動調理するものである。
【００１８】
また、請求項２では、被調理物を収納する加熱室にマイクロ波を発振するマグネトロンと、該マグネトロンから発振するマイクロ波の出力を制御するインバータ電源からなり、被調理物をマイクロ波で加熱するレンジ加熱と、前記加熱室の壁面に設けた電熱ヒータにより被調理物を加熱するヒータ加熱と、加熱室に水蒸気を供給する蒸気発生手段によるスチーム加熱の加熱動作を制御する制御手段と、該制御手段に接続される操作部と表示部とを備え、前記操作部にはコンフィチュールを選択する選択手段を設け、表示部にはコンフィチュールの選択状態を表示する選択状態表示部を設け、さらに前記選択手段でコンフィチュールが選択されたときは制御手段でレンジ加熱とヒータ加熱とスチーム加熱の組み合わせにより制御し、被調理物を自動調理するものである。
【００１９】
また、請求項３では、被調理物を収納する加熱室と、該加熱室にマイクロ波を発振するマグネトロンと、該マグネトロンから発振するマイクロ波の出力を制御するインバータ電源からなり、被調理物をマイクロ波で加熱するレンジ加熱と、加熱室の壁面に設けた電熱ヒータにより被調理物を加熱するヒータ加熱と、該加熱室に過熱蒸気を供給する過熱蒸気発生手段による高温スチーム加熱の加熱動作を制御する制御手段と、該制御手段に接続される操作部と表示部とを備え、前記操作部にはコンフィチュールを選択する選択手段を設け、表示部にはコンフィチュールの選択状態を表示する選択状態表示部を設け、さらに選択手段でコンフィチュールが選択されたときは制御手段でレンジ加熱とヒータ加熱と高温スチーム加熱の組み合わせにより制御し、被調理物を自動調理するものである。
【００２０】
さらに、請求項４では、前記自動調理における加熱過程で、レンジ加熱を行う前に、加熱室をヒータ加熱により所定の高温に昇温させるパターンを組み込んだものである。
【発明の効果】
【００２１】
本発明の請求項１によれば、選択手段でコンフィチュールを選択した際に、レンジ加熱とヒータ加熱を組み合わせた加熱による自動調理を行うことができるので、加熱調理器の使用者が被調理物の分量に応じてコンフィチュールの自動調理を選択するだけで、コンフィチュールに最適な加熱制御ができ、使用者が短時間で手軽にコンフィチュール作りが行えるとともに、高い利便性を提供できる。
【００２２】
また、請求項２によれば、選択手段でコンフィチュールを選択した際に、レンジ加熱とヒータ加熱とスチーム加熱を便宜組み合わせた加熱による自動調理を行うことができるので、被調理物に適度な水分を供給して、より最適な加熱制御により、仕上がりの良好なコンフィチュール作りができる。
【００２３】
また、請求項３によれば、選択手段でコンフィチュールを選択した際に、レンジ加熱とヒータ加熱と高温スチーム加熱を便宜組み合わせた加熱による自動調理を行うことができるので、高温スチームにより被調理物を短時間で均一に温度上昇させ、さらに素材の甘味・旨味を逃がさず、美味しいコンフィチュール作りができる。
【００２４】
さらに、請求項４によれば、上記の自動調理において、加熱室を高温に保持して染み出た水分をレンジ加熱で短時間に蒸発することができるので、被調理物の加熱ムラが少ないまま煮つめ、食材の素材の味を損なわずに美味しいコンフィチュールを作ることができる。
【発明を実施するための最良の形態】
【００２５】
以下、本発明の実施例を添付図面に従って説明する。
【実施例１】
【００２６】
図１は本発明の電気式オーブンレンジの正面側から見た斜視図であり、図３、図４に示されている外枠を構成するカバー５１を取り外した状態である。
【００２７】
図２は図１の電気式オーブンレンジのドア５２を開成した状態である。
【００２８】
図３は図１の電気式オーブンレンジの側面断面図である。
【００２９】
図４は図１の電気式オーブンレンジを背面側から見た斜視図であり、外枠であるカバー５１を本体前方に取り外した状態である。
【００３０】
図示した電気式オーブンレンジは、加熱調理する食品等の被調理物７１を収容する加熱室７、該加熱室７の底面に設けられた被調理物７１を載置する回転しないテーブル７０、加熱室７に熱風を循環させる熱風ユニット９、レンジ調理の加熱源であるマイクロ波を発振するマグネトロン２０、マグネトロン２０から発振するマイクロ波の出力を制御するインバータ電源２３、マグネトロン２０から発振したマイクロ波を加熱室７に導く導波管２５、加熱室７に照射されたマイクロ波を撹拌する回転アンテナ５７及びアンテナモータ２２等で構成されている。
【００３１】
レンジ加熱は、テーブル７０上に載置した被調理物７１をマイクロ波で加熱するものである。そのため、被調理物７１はその水分等の分子・原子振動によって積極的に加熱される。
【００３２】
尚、上記マグネトロン２０、導波管２５、回転アンテナ５７及びアンテナモータ２２等の構成部品は図示されているように加熱室７と本体底面との間の機械室２に配置されている。
【００３３】
また、電気式オーブンレンジでは、加熱室７をヒータ加熱するために、少なくとも加熱室７の上壁面の外側に電熱ヒータ１０が設置されている。この電熱ヒータ１０は加熱室７の壁面を加熱し、その壁面を介した輻射熱で加熱室７内の温度を上昇させることにより、グリル調理やオーブン調理を行うことができる。
【００３４】
図示したオーブンレンジでは、輻射熱を利用した電熱ヒータ１０とともに、熱風を利用できる熱風ユニット９を備えた構成となっており、高温空気を加熱室７に供給して加熱調理に利用している。
【００３５】
主に、オーブン調理に使われる熱風ユニット９は、加熱室７のほぼ中央に回転自在に設けられたファン等の送風手段３０、この送風手段３０の外周の下方、すなわち空気流の流出側に設けられた電熱ヒータ１２、送風手段３０に連結されたファンモータ３２等で構成され、加熱室７の背面壁７５に配置されている。
【００３６】
また、加熱室７の背面壁７５には、多数のパンチング孔よりなる通風口７２ａ、７２ｂが設けられており、加熱室７内の空気を吸い込む通風口７２ｂは送風手段３０の略中心部に、加熱室７内に熱風を吹き出す通風口７２ａは通風口７２ｂを囲むように、その外周位置に設けられている。
【００３７】
さらに、加熱室７の前方には被調理物７１を出し入れする開閉自在なドア５２が設けられている。
【００３８】
本実施例の電気式オーブンレンジは、加熱室７の中央に回転するテーブルがない、いわゆるターンテーブルレス式オーブンレンジと言われるものである。図示したターンテーブルレス式オーブンレンジは、該テーブルを重量検出手段８ａ、８ｂ、８ｃで支えた構成であり、例えばレンジ加熱時の加熱時間が被調理物７１の重量検出結果をもとに決められる。
【００３９】
熱風ユニット９の背面には蒸気発生手段３５が設置されており、貯水される容器と、該容器を加熱するヒータ、サーミスタ等の温度検出器（図示せず）等から構成されている。
【００４０】
ここで、前記容器は、例えばアルミダイキャスト等のアルミニウム材やステンレス材等の錆び難い金属材料で構成され、ヒータは容器の肉部に埋め込まれたシーズヒータ等で構成されている。但し、容器は昇温時間を短くするために熱容量を小さくすることが好ましい。
【００４１】
また、蒸気発生手段３５のヒータは、同じように昇温時間を短くするために、望ましくは消費電力を５００Ｗ〜１０００Ｗ程度にするのがよい。
【００４２】
このように、質量や消費電力を上記の数値にすることにより、蒸気発生手段３５の所定温度までの昇温時間を３０秒〜１分程度、もしくはそれ以下にすることができる。
【００４３】
もちろん、容器とヒータは、この仕様や数値に限定する必要はないし、それぞれ複数個に分割されていてもよい。また、蒸気発生手段３５の外壁を断熱材で覆い、周囲への放熱を抑制すると、昇温時間が短縮されたり、加熱効率の向上／省エネに繋がる。
【００４４】
蒸気発生手段３５への水の供給は、加熱室７の下方に設けられた水タンクなどの給水手段３６からポンプなどの送水手段３７とそれらを連結する水配管３９ａ、３９ｂを介して行われる。ここで、水としては、衛生面を考えると、塩素成分を若干含む水道水等が望ましい。  また、給水手段３６や送水手段３７、水配管３９は、図１及び図４に示す位置に限る必要はない。特に、給水手段３６は、本体前方から容易に取り出しやすい位置がよく、本体前方から見えるように、ドア５２の底面か上面、又は側面がよい。
【００４５】
ここで、スチーム加熱は加熱室７に蒸気発生手段３５により生成される水蒸気を供給するもので、被調理物７１に水分を与えたり、又は蒸し調理などを行うことができる。
【００４６】
さらに、本実施例では、蒸気発生手段３５で生成した水蒸気を過熱して高温スチーム加熱を行う為に、蒸気発生手段３５から熱風ユニット９に水蒸気を吹き出させ、その水蒸気を送風手段３０から流出する空気流に吹き付けるような構成となっている。
【００４７】
このため、水蒸気がヒータ１２で過熱され、高温スチームとなって加熱室７に吹き出される。
【００４８】
ここで、最も望ましくは、送風手段３０から流出した直後の空気流に向けて水蒸気を吹き付け、空気流に衝突させるようにすれば水蒸気に衝撃を与えて細かく破砕し、より微細な水分子を構成して被調理物７１を加熱調理できる。
【００４９】
また、図示した電気式オーブンレンジでは、図５に示すように、ドア５２の下側に操作パネル６が設けられ、操作パネル６は操作部６０と表示部６２で構成される。操作部６０には、自動調理するメニューが決められたキー６３、該キー６３にないメニュー及び加熱強さ等を選択する選択手段６１ａ、６１ｂ、加熱調理を実行するキー６４などが設けられる。ここで、図５に示す選択手段６１ａはダイヤル式、６１ｂは上下キー式で記載しているが、これらの方式に限定する必要はない。
【００５０】
また、表示部６２には、選択手段６１ａ、６１ｂで選択された状態を表示する選択状態表示部６６ａ、６６ｂなどが設けられる。ここで、本発明では選択手段６１ａ、６１ｂと選択状態表示部６６ａ、６６ｂにおいて、それぞれコンフィチュールの選択と選択状態表示ができることが特徴である。
【００５１】
選択手段６１ａによるメニュー選択は、ドア５２に印刷されたドア印字部６５の割付表を見て行ってもよいし、付属の料理本に記載された番号を選んでもよい。
【００５２】
ここで、図５に示す選択手段６１ａは、メニュー選択を表示部６２に表示される数字によって行うものであるが、メニュー名称をスクロールする構成でも何ら差し支えない。又、図６に示すように、ダイヤル式の選択手段６１ａの外周に整列した番号を選択状態表示部６６ｂとして直接ダイヤルで指示する構成でもよい。
【００５３】
尚、操作部６０と表示部６２を制御する制御手段２７は機械室２に配置されている。
【００５４】
以上のように、レンジ加熱とヒータ加熱と高温スチーム加熱ができるように構成された熱風ユニット９を有するターンテーブルレス方式の電気式オーブンレンジで、コンフィチュール作りを行う場合、本発明では使用者の手順によって、以下の加熱制御が実行される。
【００５５】
まず、使用者が被調理物７１として、複数種類の果物類、野菜類、ハーブ類などを決められた分量だけ混入した調理容器をドア５２を開けてテーブル７０上に載置した後、ドア５２を閉め、図５のドアに印刷されたドア印字部６５の自動調理メニューから、例えばコンフィチュールの「７」を見つけ、選択手段６１ａのダイヤルを回すことで数字が前後にスクロールし、選択手段６１ａと同期して連動する表示部６２の選択状態表示部６６ｂに「７」と表示されるように、ダイヤルの回転を調整する。また、調理する速さやカラメル固さの好みなどに応じて、選択手段６１ｂの上下キーを押し、選択状態表示部６６ａの「強・中・弱」からそれらを選択でき、その選択状態が選択状態表示部６６ａで確認できる。
【００５６】
次に操作パネル６のスタートキー６４を操作すると、制御部２７の働きにより加熱調理が開始される。従来のジャム作りは図７に示すように、調理容器７１をレンジ加熱するだけであるが、コンフィチュール作りでは、図８に示すように、調理容器を均一に迅速に温度上昇させるために有効な加熱パターンを必要とする。
【００５７】
加熱工程として、まず、被加熱物７１を入れた調理容器を均一、且つ、徐々に温度を上昇させるため、レンジ加熱とヒータ加熱の両方を同時に行う。家庭用電源では最大電力量が１５００Ｗであるため、レンジ加熱とヒータ加熱の両方を行うために双方とも低出力で稼動することになる。
【００５８】
調理容器が十分温まったら、ヒータ加熱により加熱室７の庫内温度を１００℃から１５０℃まで上昇させ、調理容器を外部から一気に加熱させることにより、素材の味が損ない難くなる。
【００５９】
また、低出力のレンジ加熱により外部に染み出た果汁の温度を短時間で上昇させ、濃縮された果汁から風味の高いカラメルを作りやすくする。
【００６０】
さらに、高温スチーム加熱により加熱室７を２００℃から２５０℃の高温に保持することで、素材に微細水分子が浸入して短時間で効率よく余分な水分を表面から染み出すとともに、濃縮された果汁を素材が吸収して、素材本来の甘味・旨味が良好になる。
【００６１】
次のヒータ加熱のあとに、レンジ加熱を高出力で行うことにより、余分な水分を短時間で蒸発させ、香り高いカラメルを作るように、スープ状からゼリー状にカラメルの状態を変化させる。最後に最初と同様に、レンジ加熱とヒータ加熱の両方で、調理容器を内外の両方から均一加熱することにより、艶があるコンフィチュールを短時間で高品位に仕上げることができる。つまり、調理過程において、少なくとも一度ヒータ加熱、又は高温スチーム加熱により加熱室７の温度を高めて外部から調理容器７１を加熱して水分を染み出させた後、その水分をレンジ加熱で一気に蒸発させることで、美味しいコンフィチュールを作ることができる。
【００６２】
ここで、本実施例では、調理容器に自動調理に合わせた分量で調理する手順について示したが、図示した重量検出手段８ａ、８ｂ、８ｃにより検出した重量をもとに、加熱時間なども適宜調整されるように制御させてもよい。
【００６３】
次に、本実施例の各加熱動作について、以下に示す。
【００６４】
まず、レンジ加熱とヒータ加熱を同時稼動する場合、マグネトロン２０をマイクロ波出力を制御するインバータ電源２３で制御し、３００〜６００Ｗ程度の出力に低下させるとともに、加熱室７上方のヒータ１０に通電し、５００〜８００Ｗ程度の出力に制御し、双方が同時に稼動する。レンジ加熱では、マグネトロン２０とインバータ電源２３を冷却するためにファン２４が機械室２に搭載される。
【００６５】
尚、このヒータ加熱には、熱風ユニット９のヒータ１２を用いてもよい。
【００６６】
次に、ヒータ加熱では加熱室７上方のヒータ１０と、熱風ユニット９のヒータ１２に通電され、両方で１３００〜１４５０Ｗ程度の出力で双方が発熱する。熱風ユニット９では、ファン３０が回転してヒータ１２で加熱された熱風４３ａを通風口７２ａから庫内に吹き出すとともに、通風口７２ｂから庫内空気４３ｂを吸い込み、加熱室７内の温度を急上昇させる。
【００６７】
さらに、高温スチーム加熱では、熱風ユニット９のヒータ１２を常時通電するとともに、電熱ヒータ１０と蒸気発生手段３５に交互通電を行い、熱風ユニット９に供給された水蒸気を熱風に勢い良く衝突させて蒸気の水分子を微細化した高温スチーム（過熱蒸気）化させ、加熱室７に吹き出す。
【実施例２】
【００６８】
図９、図１０及び図１１は、本発明の他の実施例を示すもので、図１と同様にターンテーブルレス方式の電気式オーブンレンジであるが、加熱室７の底面に置かれたテーブル７０が加熱室７とは分離されておらず、加熱室７に固定された構成となっている。尚、本発明は、加熱室７に回転テーブルをもったターンテーブルレス電気式オーブンレンジであっても、機械室２が加熱室７の上下左右又は後方のいずれに配置された構成であっても、容易に適用できることは言うまでもない。
【００６９】
図９に示す電気式オーブンレンジでは、前記実施例に示す蒸気発生手段を具備して高温スチーム加熱ができなくとも、レンジ加熱とヒータ加熱を組み合わせた制御により、前記実施例に近い仕上がりのコンフィチュールが作れる加熱パターンを示すものである。
【００７０】
図１０は図９のドア５２を開けた電気式オーブンレンジであり、熱風ユニット９は前記実施例と同様に有している。
【００７１】
図１１は図９の電気式オーブンレンジを背面側から見た斜視図であり、外枠であるカバー５１を本体前方に取り外した状態である。
【００７２】
本実施例では機械室２が加熱室７の側面に配置され、マグネトロン２０やインバータ電源２３等の部品は、その機械室２に収納されている。従って、マグネトロン２０から出たマイクロ波は導波管（図示せず）を介して加熱室７の側面から被調理物７１に照射される構成である。
【００７３】
テーブル７０の下方には、図２と同様にアンテナ５７が配置され、マイクロ波を撹拌してレンジ加熱を行うことができる。
【００７４】
また、図示したオーブンレンジでは、ヒータ加熱を加熱室７上方の電熱ヒータ１０と、熱風ユニット９のヒータで行うことができ、前記実施例と同様なヒータ加熱を行うことができる。
【００７５】
また、操作パネル６は機械室２の前方に配置しており、例えば図１２に示すように、操作部６０と表示部６２から構成される。本実施例の操作は、選択手段６１ｂである左右キーでメニューを選択することで、選択状態表示部６６ｂにメニュー番号を表示させる。
【００７６】
本構成の電気式オーブンレンジで、レンジ加熱とヒータ加熱を組み合わせて制御し、コンフィチュールを作る加熱パターンを図１３に示す。
【００７７】
図８の加熱パターンと比べると、高温スチーム加熱の代わりに、レンジ加熱とヒータ加熱の同時加熱、その後の高出力でのヒータ加熱の時間割合を広くしており、レンジ加熱の前にヒータ加熱で加熱室を１００℃〜１５０℃の高温に保持させることにより、前記実施例に近いコンフィチュールを作ることができる。
【００７８】
尚、図１４のように機械室２に蒸気発生手段３５を設け、加熱室７に水蒸気を供給できるようにすれば、より、前記実施例に近い美味しいコンフィチュールを作ることができる。
【００７９】
以上説明したように、本発明によれば、加熱調理器の使用者が被調理物の分量に応じてコンフィチュールの自動調理を選択するだけで、コンフィチュールに最適な加熱制御ができ、使用者が短時間で手軽にコンフィチュールを作ることができる。
【００８０】
また、被調理物に適度な水分を供給して、より最適な加熱制御により、仕上がりの良好なコンフィチュールを作ることができる。
【００８１】
また、素材の甘味・旨味を逃がさず、美味しいコンフィチュールを作ることができる。
【００８２】
さらに、食材の素材の味を損なわずに美味しいコンフィチュールを作ることができる。
【図面の簡単な説明】
【００８３】
【図１】本発明の第一の実施例におけるカバーを外した加熱調理器の正面斜視図である。
【図２】本発明の第一の実施例における加熱調理器のドア開成状態での正面斜視図である。
【図３】本発明の第一の実施例における加熱調理器の側面断面図である。
【図４】本発明の第一の実施例における加熱調理器の背面斜視図である。
【図５】本発明の第一の実施例における加熱調理器の操作部の拡大図である。
【図６】本発明の操作部における他の選択手段の説明図である。
【図７】従来の加熱調理器におけるジャム作りの加熱パターンである。
【図８】本発明の第一の加熱調理器におけるコンフィチュール作りの加熱パターンである。
【図９】本発明の第二の実施例におけるカバーを外した加熱調理器の正面斜視図である。
【図１０】本発明の第二の実施例における加熱調理器のドア開成状態での正面斜視図である。
【図１１】本発明の第二の実施例における加熱調理器の背面斜視図である。
【図１２】本発明の第二の実施例における加熱調理器の操作部の拡大図である。
【図１３】本発明の第二の加熱調理器におけるコンフィチュール作りの加熱パターンである。
【図１４】本発明の第二の加熱調理器に蒸気発生手段を設けた構成の正面斜視図である。
【符号の説明】
【００８４】
２      機械室
６      操作パネル
７      加熱室
８      重量検出手段
９      熱風ユニット
１０      電熱ヒータ
１２      熱風ヒータ
２０      マグネトロン
２７      制御手段
３５      蒸気発生手段
６０      操作部
６１ａ、６１ｂ      選択手段
６２      表示部、
６５      ドア印字部
６６ａ、６６ｂ      選択状態表示部
７０      テーブル
７１      被調理物、
【図１】
2007003135.tif 000003
【図２】
2007003135.tif 000004
【図３】
2007003135.tif 000005
【図４】
2007003135.tif 000006
【図５】
2007003135.tif 000007
【図６】
2007003135.tif 000008
【図７】
2007003135.tif 000009
【図８】
2007003135.tif 000010
【図９】
2007003135.tif 000011
【図１０】
2007003135.tif 000012
【図１１】
2007003135.tif 000013
【図１２】
2007003135.tif 000014
【図１３】
2007003135.tif 000015
【図１４】
2007003135.tif 000016